(57)【要約】【課題】 保持器を改良して安価でかつ汎用性の高い高速回転性に優れた玉軸受および玉軸受用保持器を提供する。【解決手段】  保持器5は、合成樹脂製保持器本体21と、本体21にインサート成形により一体化されて各ポケット6を形成する複数のセラミック製リング22とからなる。【選択図】    図２
2008019936.tif 000002
【特許請求の範囲】
【請求項１】
外輪、内輪、両輪の間に配置された複数の玉、およびこれらの玉を収容するポケットを有する保持器を備えている玉軸受において、
保持器は、合成樹脂製保持器本体と、本体にインサート成形により一体化されて各ポケットを形成する複数のセラミック製リングとからなることを特徴とする玉軸受。
【請求項２】
各セラミック製リング外周面に少なくとも１つの凹部が形成されており、インサート成形時にこの凹部内に合成樹脂が嵌まり合うことにより、本体とリングとの抜け止めが果たされている請求項１の玉軸受。
【請求項３】
外輪、内輪および両輪の間に配置された複数の玉を備えている玉軸受で使用されて、複数の玉を保持する保持器であって、
合成樹脂製保持器本体と、本体にインサート成形により一体化されて各ポケットを形成する複数のセラミック製リングとからなることを特徴とする玉軸受用保持器。
【請求項４】
各セラミック製リング外周面に少なくとも１つの凹部が形成されており、インサート成形時にこの凹部内に合成樹脂が嵌まり合うことにより、本体とリングとの抜け止めが果たされている請求項３の玉軸受用保持器。
【発明の詳細な説明】
【技術分野】
【０００１】
この発明は、玉軸受および玉軸受用保持器に関し、特にその高速回転性を向上させた玉軸受および玉軸受用保持器に関する。
【背景技術】
【０００２】
外輪、内輪、両輪の間に配置された複数の転動体（玉）、およびこれらの玉を収容する複数のポケットを有している合成樹脂製、高力黄銅製などの保持器を備えている玉軸受は、よく知られているが、高速回転の工作機械に使用される場合などのために、その高速回転性すなわち高速回転時の耐焼付き性、耐摩耗性などを向上させることが課題となっている。例えば、特許文献１には、保持器の転動体保持部を固体潤滑剤と金属との混合焼結材料から構成するとともに、転動体保持部の両端に、金属材料からなる補強部を形成することが提案されている。また、耐焼付き性を向上させる手段としては、硬質薄膜をコーティングする方法が知られている。
【特許文献１】特開２００２−２２７８４８号公報
【発明の開示】
【発明が解決しようとする課題】
【０００３】
上記特許文献１のものは、真空条件下で使用することを前提としており、潤滑油を使用する一般的な工作機械用としては転用が難しくしかも高価であるという問題があり、安価でかつ汎用性の高い高速回転性に優れた玉軸受および玉軸受用保持器が求められている。また、硬質薄膜をコーティングする方法についても、高価であるという問題がある。
【０００４】
この発明の目的は、保持器を改良して安価でかつ汎用性の高い高速回転性に優れた玉軸受および玉軸受用保持器を提供することにある。
【課題を解決するための手段】
【０００５】
この発明による玉軸受は、外輪、内輪、両輪の間に配置された複数の玉、およびこれらの玉を収容するポケットを有する保持器を備えている玉軸受において、保持器は、合成樹脂製保持器本体と、本体にインサート成形により一体化されて各ポケットを形成する複数のセラミック製リングとからなることを特徴とするものである。
【０００６】
この発明による玉軸受用保持器は、外輪、内輪および両輪の間に配置された複数の玉を備えている玉軸受で使用されて、複数の玉を保持する保持器であって、合成樹脂製保持器本体と、本体にインサート成形により一体化されて各ポケットを形成する複数のセラミック製リングとからなることを特徴とするものである。
【０００７】
玉軸受は、アンギュラ玉軸受、深溝型玉軸受などとされる。
【０００８】
合成樹脂は、例えばＰＥＥＫとされるが、これに限定されるものではない。セラミックは、窒化けい素、炭化けい素、アルミナ、ジルコニアなどとされるが、これに限定されるものではない。
【０００９】
保持器は、円筒状とされることが好ましい。
【００１０】
上記玉軸受および玉軸受用保持器において、各セラミック製リング外周面に少なくとも１つの凹部が形成されており、インサート成形時にこの凹部内に合成樹脂が嵌まり合うことにより、本体とリングとの抜け止めが果たされていることが好ましい。
【００１１】
少なくとも１つの凹部は、例えば、周方向にのびる複数本の環状溝または軸方向全長にわたってのびる複数本の直線状溝とされるが、これ以外のものであってももちろんよい。
【発明の効果】
【００１２】
この発明の玉軸受および玉軸受用保持器によると、保持器本体を合成樹脂製とすることで軽量化が可能であり、また、これとセラミック製リングとを組み合わせることで、剛性が上がり破損しにくいものとなる。また、この合成樹脂製保持器本体にインサート成形によりセラミック製リングを一体化することで、安価に製造することができる。そして、ポケット内周面側にセラミック製リングが位置することで、ポケット内周面の摺動抵抗が小さくなり、耐焼付き性、耐摩耗性が向上するので、優れた高速回転性および貧潤滑状態での高耐久性を得ることができる。
【発明を実施するための最良の形態】
【００１３】
この発明の実施の形態を、以下図面を参照して説明する。
【００１４】
図１は、この発明による玉軸受の１実施形態の一部を、図２は、その保持器全体を示している。
【００１５】
玉軸受(1)は、アンギュラ玉軸受で、外輪(2)、内輪(3)、両輪(2)(3)の間に周方向に所定間隔で配置された複数の玉(4)、およびこれらの玉(4)を収容する複数のポケット(6)を有する保持器(5)を備えている。
【００１６】
保持器(5)は、合成樹脂製保持器本体(21)と、本体(21)の各ポケット(6)部分にインサート成形により一体化されたセラミック製リング(22)とからなる。すなわち、合成樹脂製保持器本体(21)には、通常の保持器のポケットよりも大きな複数の貫通孔(21a)が設けられており、各貫通孔(21a)に、ポケット形状に相当する内周面形状を有するセラミック製リング(22)が嵌め入れられている。
【００１７】
図３は、セラミック製リングの変形例を示している。
【００１８】
図３において、セラミック製リング(23)の外周面に、円周方向にのびる複数の環状溝(23a)が形成されている。このセラミック製リング(23)を使用して図２に示した保持器(5)をインサート成形で製作すると、射出された合成樹脂が複数の環状溝(23a)内に入り込み、この凹凸嵌合によって合成樹脂製保持器本体(21)とセラミック製リング(23)との抜け止めが果たされる。
【００１９】
図４は、セラミック製リングの他の変形例を示している。
【００２０】
図４において、セラミック製リング(24)の外周面に、軸方向にのびる複数の直線状溝(24a)が形成されている。このセラミック製リング(24)を使用して図２に示した保持器(5)をインサート成形で製作すると、射出された合成樹脂が複数の直線状溝(24a)内に入り込み、この凹凸嵌合によって合成樹脂製保持器本体(21)とセラミック製リング(24)との抜け止めが果たされる。
【００２１】
なお、合成樹脂製保持器本体(21)とセラミック製リング(23)(23)との抜け止めを果たすためにリングに形成される凹部は、上記溝(23a)(24a)に限定されないことはもちろんである。また、図１には、外輪(2)にカウンタボアが形成されたアンギュラ玉軸受(1)を示したが、上記保持器(5)が使用される玉軸受の形状は、上記のものに限られるものではない。
【図面の簡単な説明】
【００２２】
【図１】図１は、この発明による玉軸受の１実施形態を示す縦断面図である。
【図２】図２は、この発明による玉軸受用保持器の１実施形態を示す斜視図である。
【図３】図３は、この発明による玉軸受のセラミック製リングの変形例を示す斜視図である。
【図４】図４は、この発明による玉軸受のセラミック製リングの他の変形例を示す斜視図である。
【符号の説明】
【００２３】
(1)         玉軸受
(2)         外輪
(3)         内輪
(4)         玉
(5)         保持器
(6)         ポケット
(21)        合成樹脂製保持器本体
(22)        セラミック製リング
(23)        セラミック製リング
(23a)       環状溝（凹部）
(24)        セラミック製リング
(24a)       直線状溝（凹部）
【図１】
2008019936.tif 000003
【図２】
2008019936.tif 000004
【図３】
2008019936.tif 000005
【図４】
2008019936.tif 000006